(57)【特許請求の範囲】
【請求項１】
頭部(3)の上面中央に、開閉機能付きの注出ノズル(4)を起立させ、該注出ノズル(4)の押し下げ動作により内容物の注出が可能である容器体(1)と、前記注出ノズル(4)が密嵌入して突き当たる段付き孔(8)を下面に開設すると共に、該段付き孔(8)に連通した注出口を形成する注出筒片(9)を上面中央に立設した押圧ブロック(6)の少なくとも前後の周縁から垂下壁(11)を垂下形成し、前後に位置した該垂下壁(11)の部分にそれぞれ受孔(12)を開設し、前記容器体(1)の上端部に上下に摺動変位可能に外装される昇降体(5)と、有底筒状に形成され、上端部の前後位置にそれぞれ外フランジ片(16)を介して操作片(15)を立設すると共に、該操作片(15)の各内側面に、内方に上昇傾斜した傾斜ガイド面(18)を前記受孔(12)の下端縁に摺接させる摺接突片(17)を突設した収納ケース(13)と、から構成され、前記昇降体(5)が前記注出ノズル(4)で押し上げられた状態で、前記受孔(12)の下端縁に当接する傾斜ガイド面(18)を、前記受孔(12)の下端縁に当接する箇所の下方に、少なくとも前記注出ノズル(4)を開状態とすることができる高さ分を有する構成とした注出容器。
【請求項２】
容器体(1)を、エアゾール式容器とした請求項１記載の注出容器。
【請求項３】
容器体(1)を、左右に並列に隣接配置した一対のものとして構成した請求項１または２記載の注出容器。
【請求項４】
摺接突片(17)の先端部下面を、操作片(15)の解放状態で、受孔(12)の下端内面に当接係止する水平状の係止面(19)に形成した請求項１、２または３記載の注出容器。
【請求項５】
収納ケース(13)の下端部外周に、座として機能する外フランジ状の安定板(22)を設けた請求項１、２、３または４記載の注出容器。
【発明の詳細な説明】
【０００１】
【発明の属する技術分野】
本発明は、開閉機能付き注出ノズルの押し下げにより、内容物の注出が可能な容器体から内容物を噴出させ、かつ注出する注出容器に関するものである。
【０００２】
【従来の技術】
例えば、ある種の染毛剤のように、２種の薬液である内容物を使用時に一緒に注出するタイプのもので、内容物を個々にエアゾール式容器に収納し、使用時に、この一対のエアゾール式容器から内容物を同時に噴出させると共に、この噴出した内容物を一緒に一ヵ所から注出する容器として、特開平４−１０２５６９号公報に開示された技術がある。
【０００３】
この従来技術は、内容物を収納した一対のエアゾール式容器と、この一対のエアゾール式容器を並列に隣接して収納する有底の収納ケースと、この収納ケースの上端開口部を塞ぐ形態でヒンジ結合され、下面に各エアゾール式容器の注出ノズルが密嵌入して突き当たる段付き孔と、上面に吐出口と、そして両段付き孔と吐出口とを連通させる案内路とを形成したガイド部材の前端に、収納ケースの外側の前下方に垂下した押動レバーを連設した可動カバーと、から構成されている。
【０００４】
この従来技術にあっては、容器を掴持した片手の指で押動レバーを収納ケース側に押圧することにより、ヒンジ結合部を軸としてガイド部材を下降傾動させ、これにより一対のエアゾール式容器の注出ノズルを同時に押し下げて開放し、両エアゾール式容器の内容物を、段付き孔、案内路そして吐出口を経て、一緒に吐出するので、一つの押動レバーに対する簡単な押圧操作により、二つのエアゾール式容器の内容物を、同時にかつ一緒にした状態、すなわちそのまま使用することのできる状態で吐出する、と云う優れた効果を発揮する。
【０００５】
【発明が解決しようとする課題】
しかしながら、上記した従来技術にあっては、吐出口を設けた可動カバーを収納ケースにヒンジ結合する必要があるので、その組付け構造が複雑となる、と云う問題があった。
【０００６】
また、可動カバーの傾動下降によりエアゾール式容器の注出ノズルを開放するので、可動カバーの段付き孔と注出ノズルとの間のシールを確保するのが難しい、と云う問題があった。
【０００７】
そして、押動レバーは、撓み変形のしない硬質構造物であり、この硬質な押動レバーが容器の前方に突出位置することになるので、容器の取扱い時および格納時に、突出した押動レバーが邪魔となる、と云う問題があった。
【０００８】
さらに、片側に対する力の作用による可動カバーの傾動下降により、エアゾール式容器の注出ノズルを開放するので、両エアゾール式容器の注出ノズルの押し下げ程度の差が生じる場合があり、このため吐出バランスの変化により、内容物が適切な混合比を保てなくなる場合がある恐れがあった。
【０００９】
そこで、本発明は、上記した従来技術における問題点を解消すべく創案されたもので、容器体を掴持した片手の指先の操作により、注出容器の注出ノズルを押し下げる部分を簡単な構造に、かつ安定して下降変位させるようにすることを技術的課題とし、もって内容物を注出する部分の姿勢を一定させると共に、強固で安定したシール性を確保し、さらに良好な取扱いを得ることを目的とする。
【００１０】
【課題を解決するための手段】
上記技術的課題を解決する本発明の内、請求項１記載の発明の手段は、
頭部の上面中央に、開閉機能付きの注出ノズルを起立させ、この注出ノズルの押し下げ動作により内容物の注出が可能である容器体を有すること、
容器体の注出ノズルが密嵌入して突き当たる段付き孔を下面に開設すると共に、この段付き孔に連通した注出口を形成する注出筒片を上面中央に立設した押圧ブロックの少なくとも前後の周縁から垂下壁を垂下形成し、前後に位置した垂下壁の部分にそれぞれ受孔を開設し、容器体の上端部に上下に摺動変位可能に外装される昇降体を有すること、
有底筒状に形成され、上端部の前後位置にそれぞれ外フランジ片を介して操作片を立設すると共に、この操作片の各内側面に、内方に上昇傾斜した傾斜ガイド面を、昇降体の受孔の下端縁に摺接させる摺接突片を突設した収納ケースを有すること、
昇降体が容器体の注出ノズルで押し上げられた状態で、昇降体の受孔の下端縁に当接する収納ケースの傾斜ガイド面を、受孔の下端縁に当接する箇所の下方に、少なくとも容器体の注出ノズルを開状態とすることができる高さ分を有する構成としたこと、
にある。
【００１１】
使用に際して、容器を掴持した片手の親指と人差し指とで、両操作片を摘むように押圧すると、昇降体の受孔の下端縁に当接している摺接突片の傾斜ガイド面の作用により、垂下壁が押圧ブロックと一緒に垂直に引き下げられ、これにより容器体の注出ノズルが押し下げられる。
【００１２】
注出ノズルが押し下げられると、容器体内から内容物が噴出され、噴出された内容物は段付き孔から注出筒片内に進入し、注出口から注出される。
【００１３】
昇降体の押圧ブロックは、両操作片が同時に押圧されない限り、下降変位しないので、不本意に片方の操作片が押圧されたとしても下降変位せず、容器体の内容物を不都合に注出することがない。
【００１４】
指先による押圧操作は、下降変位する昇降体にではなく、容器体に不動に組付いた収納ケースに加えられるので、容器体の注出ノズルを開閉する昇降体には、昇降方向にだけ外力が作用することになり、このため昇降体による注出ノズルの開閉動作は、安定して達成されることになる。
【００１５】
請求項２記載の発明は、請求項１記載の発明の構成に、容器体を、エアゾール式容器とした、ことを加えたものである。
【００１６】
この請求項２記載の発明にあっては、注出ノズルに対する押し下げストロークが小さくても、この注出ノズルに結合されている開閉機能部分が、確実に切り替わり動作してくれるので、昇降体を下降させるための機能部分をコンパクトに構成することができる。
【００１７】
請求項３記載の発明は、請求項１または２記載の発明の構成に、容器体を、左右に並列に隣接配置した一対のものとして構成した、ことを加えたものである。
【００１８】
この請求項３記載の発明にあっては、両操作片の操作により、傾くことなく垂直方向に引き下げられる押圧ブロックによって、両容器体の注出ノズルが等しく引き下げられるので、両容器体から注出される内容物の量が常に均等となり、これにより内容物の適正な注出使用を得ることができる。
【００１９】
請求項４記載の発明は、請求項１、２または３記載の発明の構成に、摺接突片の先端部下面を、操作片の解放状態で、受孔の下端内面に当接係止する水平状の係止面に形成した、ことを加えたものである。
【００２０】
この請求項４記載の発明にあっては、容器体および収納ケースに対する昇降体の組付きを確実に保持することができ、抜けを防止することができる。
【００２１】
請求項５記載の発明は、請求項１、２、３または４記載の発明の構成に、収納ケースの下端部外周に、座として機能する外フランジ状の安定板を設けた、ことを加えたものである。
【００２２】
この請求項５記載の発明にあっては、座として機能する安定板により、注出容器の起立姿勢が安定的に保持され、これにより安定して良好な取扱い状態を得ることができる。
【００２３】
【発明の実施の形態】
以下、本発明の実施例を、図面を参照しながら説明する。
図１〜図３は、本発明の第一実施例を示したもので、エアゾール式容器である容器体１は、細長有底円筒状をした金属製本体２の縮径した口部に、弁による開閉機能部を備えた注出ノズル４を有する金属製のキャップをカシメ固定して頭部３を形成し、注出ノズル４は、この頭部３上面に起立した状態となっている。
【００２４】
並列に隣接配置された一対の容器体１の上端部に、上下に摺動変位可能に外嵌される昇降体５は、下面の左右両端部に、注出ノズル４が密嵌入して突き当たる段付き孔８を開設すると共に、上面の中央に注出口を形成する注出筒片９を起立設し、内部に両段付き孔８と注出筒片９内とを連通する注出路７を形成した押圧ブロック６の周縁に、本体２の外周面に摺接する長円筒状の垂下壁１１を連設し、この垂下壁１１の前後壁の中央部に一対の受孔１２を開設して構成されている。
【００２５】
押圧ブロック６の垂下壁１１は長円筒状となっているので、一対の容器体１に外装した状態では、その前後壁の中央部分と両容器体１との間に、両容器体１の隣接部に形成される谷状部により、空間が形成される。
【００２６】
一対の容器体１を並列に隣接して収納する収納ケース１３は、左右方向に長い有底長円筒状に成形され、その周筒１４の前後壁の上端部中央に、外フランジ片１６を介して、一対の操作片１５が立設されている。
【００２７】
この両操作片１５の内側面には、下面を傾斜ガイド面１８とした三角板片状の左右一対の摺接突片１７が、その傾斜ガイド面１８の上端部が受孔１２の下端縁に当接する形態で突設されている。
【００２８】
各摺接突片１７の先端部下面は、操作片１５の解放状態で、受孔１２の下端内面に当接係止する水平状の係止面１９に形成してあり（図３参照）、係止面１９の受孔１２の下端内面との係止により、容器体１および収納ケース１３に対する昇降体５の組付きが確実に保持され、抜けが防止されている。
【００２９】
そして、両操作片１５の摺接突片１７は、垂下壁１１と一対の容器体１との間に空間が形成される、前後側の中央部分に位置するので、両操作片１５を摘まみ状に押圧操作した際に、摺接突片１７は容器体１に突き当たることなく内方に変位して、昇降体５を確実に引き下げる。
【００３０】
なお、図示実施例の場合、押圧ブロック６は、注出路７の成形の都合から、上蓋状の本体部分と、この本体部分の下面側に密に嵌まり込み、一対の段付き孔８を開設した下蓋板片１０とから構成されている。
【００３１】
また、注出筒片９は短円筒状となっているが、この注出筒片９の構造は短円筒状に限定されることはなく、例えば細長円筒状であっても良く、さらには各櫛歯片に吐出口を設けた櫛体を組付けても良い。
【００３２】
図４は、本発明の第二実施例を示したもので、収納ケース１３を、一対の容器体１の下端部を収納する長円短筒状に形成された周筒１４の前後壁の中央部上面に、一対の縦長の対向板２０を立設すると共に、各対向板２０の上端部に、外フランジ片１６を介して、各内側面に摺接突片１７を設けた操作片１５を連設して構成したものである。
【００３３】
図５は、本発明の第三実施例を示したもので、注出容器の転倒を防止すべく、収納ケース１３の周筒１４の下端外周に、座として機能する、水平な外フランジ板状の安定板２２を周設したものである。
【００３４】
図６に示した本発明の第四実施例は、転倒防止用の安定板２２を、下方に広がるテーパーリング板状に形成したものである。
【００３５】
図７〜図９に示した本発明の第五実施例は、一本の容器体１用の注出容器であって、収納ケース１３の周筒１４を円筒状に形成すると共に、昇降体５の垂下壁１１を、押圧ブロック６の周縁に垂下設した周筒片２１の前後下端部に、外フランジ片を介して連設した一対の平板状に形成したものである。
【００３６】
なお、本発明において、容器体１の数は１本または２本に限定されるものではなく、３本以上としても良い。
【００３７】
【発明の効果】
本発明は、上記した構成となっているので、以下に示す効果を奏する。
請求項１記載の発明にあっては、容器体および収納ケースに対する昇降体の組付けは、単なる嵌め込みだけで達成されるので、その組付け構造が簡単になると共に、容器体の注出ノズルに対する押圧ブロックの姿勢が、内容物の注出時に変化することがないので、段付き孔に対する注出ノズルの姿勢を常に一定に保持することができ、これにより段付き孔と注出ノズルとの間の強固なシールを安定して保持することができる。
【００３８】
注出ノズルの開閉を行なう操作片は、外方に大きく突出することなく、昇降体の表面に沿って位置するので、他の物品に引っ掛かることが少なく、また両操作片が押圧されなければ、注出ノズルを引き下げることができないので、一方の操作片が不本意に押圧されても、内容物は注出されず、これにより安全な取扱いを容易に得ることができる。
【００３９】
注出ノズルを開閉する昇降体には、昇降方向にだけ外力が作用することになるので、昇降体による注出ノズルの開閉動作は、安定して達成されることになり、確実で安定した注出動作を得ることができる。
【００４０】
請求項２記載の発明にあっては、昇降体を下降させる機能部分をコンパクトに構成することができ、これにより製作および取扱いが容易となる。
【００４１】
請求項３記載の発明にあっては、両操作片の操作により、傾くことなく垂直方向に引き下げられる押圧ブロックによって、両容器体の注出ノズルが等しく押し下げられるので、両容器体から注出される内容物の量が常に均等となり、これにより内容物の適正な注出使用を得ることができる。
【００４２】
請求項４記載の発明にあっては、容器体および収納ケースに対する昇降体の組付きを確実に保持することができ、抜けを防止することができる。
【００４３】
請求項５記載の発明にあっては、注出容器の転倒を防止することができ、もって、縦長の注出容器を安定して使用することができる。
【図面の簡単な説明】
【図１】本発明の第一実施例を示す、右側は容器体中心部で、左側は容器中心部で昇降体と収納ケースを半縦断した側面図。
【図２】図１に示した実施例の、収納ケースの斜視図。
【図３】図１に示した実施例の、摺接突片付近の拡大縦断側面図。
【図４】第二実施例を示す、収納ケースの斜視図。
【図５】第三実施例を示す、各部材の斜視図。
【図６】図５に示した実施例の、組立状態の要部半縦断側面図。
【図７】図６中、Ａ−Ａ線における収納ケースと昇降体の平断面図。
【図８】第四実施例を示す、収納ケースの斜視図。
【図９】第五実施例を示す、収納ケース底部の半縦断面図。
【符号の説明】
１  ；  容器体
２  ；  本体
３  ；  頭部
４  ；  注出ノズル
５  ；  昇降体
６  ；  押圧ブロック
７  ；  注出路
８  ；  段付き孔
９  ；  注出筒片
１０  ；  下蓋板片
１１  ；  垂下壁
１２  ；  受孔
１３  ；  収納ケース
１４  ；  周筒
１５  ；  操作片
１６  ；  外フランジ片
１７  ；  摺接突片
１８  ；  傾斜ガイド面
１９  ；  係止面
２０  ；  対向板
２１  ；  周筒片
２２  ；  安定板
【図１】
0003954883.tif 000002
【図２】
0003954883.tif 000003
【図３】
0003954883.tif 000004
【図４】
0003954883.tif 000005
【図５】
0003954883.tif 000006
【図６】
0003954883.tif 000007
【図７】
0003954883.tif 000008
【図８】
0003954883.tif 000009
【図９】
0003954883.tif 000010